(57)【特許請求の範囲】
【請求項１】
外カバーの内側に、軒樋を接続する二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手において、
双方の継手部材の外底面と外カバーの内底面との間に、双方の継手部材の対向する端面と外カバーの内面と伸縮体とで囲まれる内部空間に侵入した雨水を排出させる排水間隙を、外カバーの内底面又は双方の継手部材の外底面に長手方向に延びる凸条又は突起を設けることによって形成したことを特徴とする軒樋伸縮継手。
【請求項２】
双方の継手部材の対向する端面に、内部空間に侵入した雨水の排出口となる切欠部を形成したことを特徴とする請求項１に記載の軒樋伸縮継手。
【請求項３】
外カバーの長手方向両端の外底面に、下方に突き出す水切り凸部を形成したことを特徴とする請求項１又は請求項２に記載の軒樋伸縮継手。
【発明の詳細な説明】
【０００１】
【発明の属する技術分野】
本発明は、温度差による軒樋の伸縮を吸収できる軒樋伸縮継手に関し、特に、雨の止んだ後に雨水が滴下しないように改良した軒樋伸縮継手に関する。
【０００２】
【従来の技術】
軒樋伸縮継手には種々のタイプのものがあるが、その一つとして、本出願人は図１２に示す構造の軒樋伸縮継手を既に出願した（特願平11-340997号）。
【０００３】
この軒樋伸縮継手は、横断面略Ｕ字状の外カバー１の内側に、軒樋６を接続する二個の継手部材２，３を摺動可能に嵌装して、双方の継手部材２，３を横断面略Ｕ字状の伸縮自在な水密性の蛇腹状の伸縮体４で連結し、伸縮体被覆用の横断面略Ｕ字状の内カバー５をいずれか一方の継手部材２又は３（図例では継手部材３）に取付けたものである。
【０００４】
かかる軒樋伸縮継手は、温度変化により軒樋６，６が伸縮すると、それに追従して双方の継手部材２，３が外カバー１の内側で摺動するため、軒樋６，６の伸縮を吸収することができ、しかも、水密性の伸縮体４で双方の継手部材２，３を連結しているため、軒樋６，６を流れる雨水が双方の継手部材２，３の間から漏れ出すのを防止できるといった利点を有する。しかしながら、この軒樋伸縮継手には、まだ次のような解決すべき課題が残されていた。
【０００５】
【発明が解決しようとする課題】
即ち、上記の軒樋伸縮継手は、伸縮体４の上端と外カバー１との隙間から雨水が伸縮体４の裏側の内部空間８（双方の継手部材２，３の対向する端面と外カバー１の内底面と伸縮体４とで囲まれる内部空間８）に侵入しやすく、特に、大雨のときや風雨の強いときには、かなりの量の雨水が侵入する。けれども、双方の継手部材２，３の外底面（双方の継手部材の底壁部２ｃ，３ｃの下面）と外カバー１の内底面（外カバーの底壁部１ａの上面）との間の隙間が小さく、実質的に面接触に近い状態であるため、内部空間８に侵入した雨水は上記隙間を通ってスムーズに排出されることなく内部空間８に貯溜され、この貯溜された雨水が、雨の止んだ後に上記隙間を通って外カバー１の両端から滴下したり、外カバー１の外底面に回り込んで滴下するという問題があった。
【０００６】
このように、雨の止んだ後に軒樋伸縮継手から滴下する雨水が頭や顔にかかると不快であり、また、雨水が外カバー１の外底面に回り込んで滴下する場合は、雨水の回り込んだ痕跡が残って汚らしく見えるので、上記の問題を解決することは重要である。
【０００７】
本発明は斯かる事情に鑑みてなされたものであって、雨の止んだ後に雨水が滴下したり、外カバーの外底面に回り込んだりすることのない軒樋伸縮継手を提供することを目的とする。
【０００８】
【課題を解決するための手段】
上記目的を達成するため、本発明の請求項１に係る軒樋伸縮継手は、外カバーの内側に、軒樋を接続する二個の継手部材を摺動可能に嵌装して、双方の継手部材を伸縮自在な水密性の伸縮体で連結し、伸縮体被覆用の内カバーをいずれか一方の継手部材に取付けた軒樋伸縮継手において、双方の継手部材の外底面と外カバーの内底面との間に、双方の継手部材の対向する端面と外カバーの内面と伸縮体とで囲まれる内部空間に侵入した雨水を排出させる排水間隙を、外カバーの内底面又は双方の継手部材の外底面に長手方向に延びる凸条又は突起を設けることによって形成したことを特徴とするものである。
【０００９】
このような軒樋伸縮継手は、内部空間に侵入した雨水を、継手部材の外底面と外カバーの内底面との間に、外カバーの内底面又は双方の継手部材の外底面に長手方向に延びる凸条又は突起を設けることによって形成した排水間隙を通じてスムーズに排出させることができるので、内部空間に雨水が溜まることはなく、従って、雨の止んだ後に雨水が外カバーの両端から滴下することはない。
【００１１】
また、本発明の請求項２に係る軒樋伸縮継手は、上記請求項１の継手において、双方の継手部材の対向する端面に、内部空間に侵入した雨水の排出口となる切欠部を形成したことを特徴とするものである。
【００１２】
このような軒樋伸縮継手は、内部空間に侵入した雨水が切欠部から排水間隙へスムーズに流出するため、排水効率が一層向上し、内部空間に雨水が溜まるのをより確実に防止することができる。
【００１３】
更に、本発明の請求項３に係る軒樋伸縮継手は、上記請求項１又は２の継手において、外カバーの長手方向両端の外底面に、下方に突き出す水切り凸部を形成したことを特徴とするものである。
【００１４】
このような軒樋伸縮継手は、外カバーの長手方向両端から排出される雨水が水切り凸部から落下して外カバーの外底面へ回り込まないため、雨水の回り込む痕跡によって外カバーの外底面が汚れるのを防止することができる。
【００１５】
【発明の実施の形態】
以下、図面を参照して本発明の具体的な実施形態を詳述する。
【００１６】
図１は本発明の一実施形態に係る軒樋伸縮継手の斜視図、図２は同軒樋伸縮継手の縦断面図、図３は双方の継手部材の間隔が最大となった状態の同軒樋伸縮継手の縦断面図、図４は図３のＡ−Ａ線横断面図、図５は同軒樋伸縮継手の外カバーと位置決め具の斜視図、図６は同軒樋伸縮継手の一方の継手部材の斜視図、図７は同軒樋伸縮継手の他方の継手部材の斜視図、図８は同軒樋伸縮継手の伸縮体の斜視図、図９は同軒樋伸縮継手の内カバーの斜視図、図１０は同軒樋伸縮継手の内カバーを分離し外カバーを透して双方の継手部材と伸縮体を斜めから見た透視図、図１１は位置決め具の取付け状態を示す側面図である。
【００１７】
この軒樋伸縮継手は、図１〜図３に示すように、外カバー１の内側に二個の継手部材２，３を摺動可能に嵌装して、双方の継手部材２，３を伸縮自在な水密性の伸縮体４で連結し、伸縮体被覆用の内カバー５を一方の継手部材３に取付けたものであって、軒樋６，６を双方の継手部材２，３に差込み接続して使用する前は、図１、図２に示すように、外カバー１に取付けた位置決め具７によって双方の継手部材２，３が外カバー１内の適正な位置に位置決めされている。
【００１８】
外カバー１は、塩化ビニル樹脂、ＡＡＳ（アクリロニトリル−アクリロニトリルゴム−スチレン）樹脂、ＡＳ（アクリル−スチレン）樹脂、ＰＣ（ポリカーボネート）樹脂などの熱可塑性樹脂にて成形されたものであって、図４に示すように、底壁部１ａから立上がる前壁部１ｂの上端と後壁部１ｃの上端には、継手部材２，３の耳押え部を押さえる略Ｌ字形の押え部１ｄと略コ字形の押え部１ｅが形成されている。そして、継手部材２，３の形状に対応するように、前壁部１ｂが少し後側へ彎曲傾斜して後壁部１ｃより高く形成され、前壁部１ｂの途中には段部１ｆが形成されている。
【００１９】
この外カバー１の内底面、つまり底壁部１ａの上面には、長手方向に延びる複数（４つ）の凸条１ｋが間隔をおいて平行に形成されており、この凸条１ｋのうち外カバー１の前側と後側の２つの凸条１ｋは長手方向全長に亘って形成されている。また、外カバー１の内底面には突起１ｇ，１ｈが長手方向に対向して２つずつ形成されており、これらの突起１ｇと突起１ｈの間の内底面には凸条１ｋが形成されていない。この凸条１ｋは、後述するように、外カバー１の内底面と継手部材２，３の外底面との間に排水間隙を形成するスペーサの役目を果たすものであり、また、突起１ｇ，１ｈは、後述するように双方の継手部材２，３が一定の間隔以上に離反して外カバー１から抜け出すのを防止するストッパの役目を果たすものである。
【００２０】
この外カバー１の長手方向両端の外底面、つまり長手方向両端の底壁部１ａの下面には、下方に突き出す水切り凸部１ｍが形成されている。この水切り凸部１ｍは、後述するように、外カバー１の内底面と継手部材２，３の外底面との間の排水間隙から排出される雨水を落下させて外カバー１の外底面に回り込まないようにするものである。
【００２１】
この外カバー１の前壁部１ｂ上端の押え部１ｄには、位置決め具７を継手部材２，３の摺動方向に移動しないように係合させる一対の凸部１ｉ，１ｉが形成されており、後述するように、位置決め具７が凸部１ｉ，１ｉの間に嵌まり込んだ状態で移動不能に係合して脱着自在に取付けられるようになっている。そして、これらの凸部１ｉ，１ｉの内側には、位置決め具７の係合片７ａ，７ｂの略直角屈曲部がそれぞれ嵌まり込む凹部１ｊ，１ｊが形成されている。
【００２２】
この外カバー１に摺動可能に嵌装される継手部材２，３は、外カバー１と同様の熱可塑性樹脂にて成形されたものであって、片方の継手部材２は、図６に示すように軒樋接続部２ａに長い略Ｕ字状の溝型部２ｂが一体形成されており、もう一方の継手部材３は、図７に示すように軒樋接続部３ａに短い略Ｕ字状の溝型部３ｂが一体形成されている。
【００２３】
継手部材２の軒樋接続部２ａは、軒樋６の形状に対応するように、底壁部２ｃから立上がる前壁部２ｄを少し後側へ彎曲傾斜させて後壁部２ｆよりも高く形成し、その途中に段部２ｅを設けると共に、前壁部２ｄの上端と後壁部２ｆの上端に、軒樋６の耳部６ａ，６ｂを押さえる略Ｌ字形の耳押え部２ｇと略コ字形の耳押え部２ｈを形成したものであって、この軒樋接続部２ａの内側には軒樋６の内面を押さえる押え板２ｉが設けられている。従って、図２、図３、図６に一点鎖線で示すように、軒樋６の端部が軒樋接続部２ａと内側の押え板２ｉとの隙間部分に差込まれ、軒樋６の前後の耳部６ａ，６ｂが耳押え部２ｇ，２ｈに押えられて、軒樋６が継手部材２に接続されるようになっている。この軒樋接続部２ａの耳押え部２ｇ，２ｈは、端部側の略半分が切り欠かれているため、軒樋６の差込み作業がし易くなっている。
【００２４】
継手部材２の略Ｕ字状溝型部２ｂの先端内面には、伸縮体４の端部の２条の凸リブを嵌着するための２条の細溝２ｊ，２ｊが形成されており、この略Ｕ字状溝型部２ｂの先端外面には、軒樋接続部２ａの端部の輪郭と同じ輪郭を有する鍔部２ｍが形成されている。そして、継手部材２を外カバー１の内側へ嵌装した状態では、この鍔部２ｍと軒樋接続部２ａが外カバー１の内底面の凸条１ｋに支持されて、継手部材２の外底面と外カバー１の内底面との間に排水間隙９が形成されるようになっている。また、軒樋接続部２ａと略Ｕ字状溝型部２ｂとの間には、位置決め具７の一方の係合片７ａを係合させる中間板２ｐが設けられ、この中間板２ｐの下部中央には水抜き用の凹欠部２ｑが形成されて、略Ｕ字状溝型部２ｂに雨水が溜まらないようになっている。
【００２５】
もう一方の継手部材３の軒樋接続部３ａは、上記継手部材２の軒樋接続部３ａと左右対称の構造であって、底壁部３ｃから立上がる前壁部３ｄが少し後側へ彎曲傾斜して後壁部３ｆよりも高く形成される共に、その途中に段部３ｅが設けられており、この前壁部３ｄの上端と後壁部３ｆの上端に、軒樋６の耳部６ａ，６ｂを押さえる略Ｌ字形の耳押え部３ｇと略コ字形の耳押え部３ｈが略半分切り欠かれて形成されている。そして、この軒樋接続部３ａの内側には、軒樋６の内面を押さえる押え板３ｉが設けられている。
【００２６】
また、この軒樋接続部３ａに一体形成された短い略Ｕ字状溝型部３ｂの内面には、伸縮体４の端部の二条の凸リブを嵌着するための二条の細溝３ｊ，３ｊと、内カバー５の取付用フランジ部５ｂを嵌合するための嵌合溝３ｐが設けられている。そして、この略Ｕ字状溝型部３ｂの先端外面には、軒樋接続部３ａの端部の輪郭と同じ輪郭を有する鍔部３ｍが形成されており、継手部材３を外カバー１の内側へ嵌装した状態では、この鍔部３ｍと軒樋接続部３ａが外カバー１の内底面の凸条１ｋに支持されて、継手部材３の外底面と外カバー１の内底面との間に排水間隙９が形成されるようになっている。
【００２７】
双方の継手部材２，３の対向する端面、つまり略Ｕ字状溝型部２ｂ，３ｂの先端の鍔部２ｍ，３ｍには、排水口となる複数（３つ）の切欠部２ｓ，３ｓが形成されている。この切欠部２ｓ，３ｓは、図４に示すように、外カバー１内底面の凸条１ｋと凸条１ｋの間を跨ぐように形成されている。
【００２８】
図２，図３に示すように、双方の継手部材２，３が外カバー１に嵌装された状態では、外カバー１内底面の一方の突起１ｇが一方の継手部材２の鍔部２ｍと軒樋接続部２ａの下端との間に位置しており、他方の突起１ｈは他方の継手部材３の鍔部３ｍと軒樋接続部３ａの下端との間に位置している。従って、双方の継手部材２，３は、その鍔部２ｍ，３ｍが突起１ｇ，１ｈにそれぞれ係合するまで互いに離反する方向に摺動可能であり、且つ、その軒樋接続部２ａ，３ａの下端が突起１ｇ，１ｈにそれぞれ係合するまで互いに接近する方向に摺動可能である。
【００２９】
継手部材２，３を連結する伸縮体４は、図８に示すように全体がＵ字状に形成された合成ゴム等から成る伸縮自在な水密性の蛇腹体であって、この伸縮体４の両端部外面には二条の凸リブ４ａ，４ａがそれぞれ形成されている。そして、この伸縮体４は、図２，図３、図１０に示すように、両端部外面の凸リブ４ａ，４ａを双方の継手部材２，３の前記細溝２ｊ，３ｊに嵌着することによって継手部材２，３に取付けられ、この伸縮体４を介して双方の継手部材２，３が水密的に連結されている。
【００３０】
伸縮体４としては、最初からＵ字状に形成された蛇腹体の他に、平坦な蛇腹シートを用いて、これを組立時に継手部材２，３の細溝２ｊ，３ｊに嵌着することでＵ字状となして水密的に連結してもよく、また、蛇腹体ではない伸縮自在な他の柔軟なシートを伸縮体４として用いて、同様に双方の継手部材２，３を水密的に連結してもよい。
【００３１】
伸縮体４を被覆保護する内カバー５は、前記の外カバー１と同様の熱可塑性樹脂を用いて、図９に示すように前壁部が後壁部よりも高い略Ｕ字状に成形されたものであって、この内カバー５の一端外面には取付用フランジ部５ｂが形成されており、他端外面にもフランジ部５ｃが形成されている。そして、前壁部の他端寄りの内面上部には２本のリブ５ｅ，５ｅが設けられ、位置決め具７の一方の係合片７ａを係合させる溝部５ｄが該リブ５ｅ，５ｅの間に形成されている。
【００３２】
この内カバー５は、図２，図３に示すように、一端の取付用フランジ部５ｂを一方の継手部材３の嵌合溝３ｐに嵌合して取付けられており、他端のフランジ部５ｃは、もう一方の継手部材２の略Ｕ字状溝型部２ｂの内底面に近接して、ゴミ等が伸縮体４の方へ入り込まないようになっている。
【００３３】
位置決め具７は、前述した外カバー１と同様の熱可塑性樹脂で射出成形されたものであって、図５に示すように、略直角に屈曲した形状の２つの係合片７ａ，７ｂと、これらの係合片７ａ，７ｂの後面に形成された係止爪７ｄ，７ｄと、挟持片７ｃとを備えており、図５，図１１に示すように、一方の係合片７ａは、前記内カバー５の溝部５ｄに係合させたとき、その下端部が溝部５ｄの底面に沿うように斜め前方へ「く」字状に屈曲されている。そして、挟持片７ｃの下端部も斜め後方へ「く」字状に屈曲され、この位置決め具７を取り外すときに指が該屈曲下端部に引掛かりやすいようになっている。
【００３４】
この位置決め具７は、図１，図２，図１１に示すように、挟持片７ｃと双方の係合片７ａ，７ｂとで外カバー１の前壁部１ｂの上端部を弾性的に挟み込み、双方の係合片７ａ，７ｂの係止爪７ｄ，７ｄを外カバー１上端の押え部１ｄに上方から係止させることによって取付けられており、該押え部１ｄに形成した凸部１ｉ，１ｉの間に位置決め具７が嵌まり込んだ状態で継手部材２，３の摺動方向に移動できないように係合されている。そして、一方の係合片７ａの屈曲下端部が、一方の継手部材３に取付けられた内カバー５の溝部５ｄに係合され、他方の係合片７ｂが他方の継手部材２の中間板２ｐに係合されている。
【００３５】
以上のような構成の軒樋伸縮継手は、位置決め具７の一方の係合片７ａが一方の継手部材３に取付けられた内カバー５の溝部５ｄに係合して位置決め具７と一方の継手部材３が固定関係にあり、また、位置決め具７の他方の係合片７ｂが他方の継手部材２の中間板２ｐに係合して位置決め具７と他方の継手部材２が固定関係にあり、更に、位置決め具７が外カバー１上端の凸部１ｉ，１ｉと係合して位置決め具７と外カバー１が固定関係にあるため、結果的に位置決め具７を介して双方の継手部材２，３と外カバー１が互いに固定され、双方の継手部材２，３が外カバー１内側の適正な位置に位置決めされている。従って、この軒樋伸縮継手は、双方の継手部材２，３を適正な位置に位置決めしたまま軒樋６，６の接続作業を行うことができるので、接続作業が容易である。
【００３６】
そして、軒樋接続後、図１１に示すように位置決め具７の挟持片７ｃの屈曲下端部を矢印の方向に指で回すと、位置決め具７を簡単に取り除くことができ、このように位置決め具７を取り除けば、軒樋６，６の伸縮に追従して双方の継手部材２，３が外カバー１内を摺動し、その伸縮を吸収することができる。その場合、双方の継手部材２，３は、既述したように外カバー１の内底面の突起１ｇ，１ｈによって摺動範囲が規制されるので、軒樋６，６の伸縮によって継手部材２，３のいずれか一方又は双方が外カバー１から外れ落ちたり、伸縮体４が引き裂かれたりする心配はない。
【００３７】
また、大雨のときや風雨の強いときに、伸縮体４の上端と外カバー１との隙間から、或は、外カバー１の内底面と継手部材２，３の外底面との間の排水間隙９から、かなりの量の雨水が、双方の継手部材２，３の対向する端面（鍔部２ｍ，３ｍ）と外カバー１の内底面と伸縮体４とで囲まれる内部空間８に侵入しても、侵入した雨水は内部空間８に溜まることなく、双方の継手部材２，３の鍔部２ｍ，３ｍに形成された排出口となる切欠部２ｓ，３ｓから、外カバー１の内底面と双方の継手部材２，３の外底面との間の排水間隙９を通じてスムーズに排出され、外カバー１両端の水切り凸部１ｍから落下する。このように、内部空間８に侵入する雨水は降雨中にスムーズに排出されて内部空間８に溜まることがないので、雨の止んだ後に雨水が外カバー１の両端から頭や顔に滴下して不快感を与えることはなく、また、水切り凸部１ｍによって雨水が外カバー１の外底面に回り込むのを阻止できるため、雨水の回り込む痕跡によって外カバー１の外底面が汚れるのを防止することができる。
【００３８】
内部空間８からの雨水の排出効率を高めるには、外カバー１の内底面の凸条１ｋの高さを０．４ｍｍ以上とし、雨水の表面張力が実質的に作用しない程度の大きいクリアランスを有する排水間隙９を形成することが大切である。排水間隙９の好ましいクリアランスは０．４〜２．０ｍｍであり、更に好ましいクリアランスは０．５〜１．５ｍｍである。
【００３９】
尚、上記実施形態の軒樋伸縮継手では、外カバー１の内底面に凸条１ｋを設けて排水間隙９を形成しているが、これとは逆に、双方の継手部材２，３の外底面に凸条を設けて、外カバー１の内底面と継手部材２，３の外底面との間に排水間隙９を形成するようにしてもよい。更に、凸条１ｋの他に突起を外カバー１の内底面又は継手部材２，３の外底面に設けてもよい。
【００４０】
【発明の効果】
以上の説明から明らかなように、本発明の軒樋伸縮継手は、双方の継手部材の対向する端面と外カバーの内底面と伸縮体とで囲まれる内部空間に侵入した雨水を、外カバーの内底面と双方の継手部材の外底面との間に形成された排水間隙を通じてスムーズに排出させることができるので、雨水が内部空間に溜まらなくなり、そのため雨の止んだ後に雨水が軒樋伸縮継手から滴下する不都合を解消できるといった効果を奏する。そして、外カバーの長手方向両端に水切り凸部を形成したものは、雨水が外カバーの外底面に回り込むのを阻止できるため、雨水の回り込む痕跡によって外カバーの外底面が汚れるのを防止できるといった効果を併せて奏する。
【図面の簡単な説明】
【図１】本発明の一実施形態に係る軒樋伸縮継手の斜視図である。
【図２】同軒樋伸縮継手の縦断面図である。
【図３】双方の継手部材の間隔が最大となった状態の同軒樋伸縮継手の縦断面図である。
【図４】図３のＡ−Ａ線横断面図である。
【図５】同軒樋伸縮継手の外カバーと位置決め具の斜視図である。
【図６】同軒樋伸縮継手の一方の継手部材の斜視図である。
【図７】同軒樋伸縮継手の他方の継手部材の斜視図である。
【図８】同軒樋伸縮継手の伸縮体の斜視図である。
【図９】同軒樋伸縮継手の内カバーの斜視図である。
【図１０】同軒樋伸縮継手の内カバーを分離し外カバーを通して双方の継手部材と伸縮体を斜めから見た透視図である。
【図１１】位置決め具の取付け状態を示す側面図である。
【図１２】従来の軒樋伸縮継手の縦断面図である。
【符号の説明】
１  外カバー
１ｋ  凸条
１ｍ  水切り凸部
２，３  継手部材
２ｍ，３ｍ  対向する端面となる鍔部
２ｓ，３ｓ  排出口となる切欠部
４  伸縮体
５  内カバー
８  内部空間
９  排水間隙
【図１】
0004606578.tif 000002
【図２】
0004606578.tif 000003
【図３】
0004606578.tif 000004
【図４】
0004606578.tif 000005
【図５】
0004606578.tif 000006
【図６】
0004606578.tif 000007
【図７】
0004606578.tif 000008
【図８】
0004606578.tif 000009
【図９】
0004606578.tif 000010
【図１０】
0004606578.tif 000011
【図１１】
0004606578.tif 000012
【図１２】
0004606578.tif 000013